(57)【要約】この楽器は、筐体と、前記筐体に設けられ、音を発生する発音体と、外部に連通する開口部が形成された空洞部を少なくとも一つ有し、前記筐体に設けられる音響構造部と、を具備している。
2014207838.tif 000002
【特許請求の範囲】
【請求項１】
筐体と、
前記筐体に設けられ、音を発生する発音体と、
外部に連通する開口部が形成された空洞部を少なくとも一つ有し、前記筐体に設けられる音響構造部と、
を具備することを特徴とする楽器。
【請求項２】
前記音響構造部が、少なくとも一つのパイプによって構成され、
前記筐体に、前記音響構造部を取り付ける取付構造が設けられていることを特徴とする請求項１に記載の楽器。
【請求項３】
前記音響構造部が、前記筐体に対して着脱自在であることを特徴とする請求項２に記載の楽器。
【請求項４】
前記音響構造部が、前記筐体内に収められることを特徴とする請求項２又は請求項３に記載の楽器。
【請求項５】
前記パイプが、前記筐体から取り外された状態で折り畳み自在であることを特徴とする請求項２から請求項４のいずれか一項に記載の楽器。
【請求項６】
前記音響構造部が、前記筐体の一部を構成していることを特徴とする請求項１に記載の楽器。
【請求項７】
鍵と、
前記鍵の押鍵力により前記発音体である弦を打撃するハンマと、
を具備することを特徴とする請求項１から請求項６のいずれか一項に記載の楽器。
【請求項８】
操作子と、
前記操作子の操作に応じて前記音響構造部による吸音効果及び散乱効果の発生の態様を調整する駆動部と、
を具備することを特徴とする請求項１から請求項７のいずれか一項に記載の楽器。
【請求項９】
前記開口部を遮蔽する遮蔽部材を具備し、
前記駆動部は、前記操作子の操作に応じて前記遮蔽部材による前記開口部の遮蔽量を調整することを特徴とする請求項８に記載の楽器。
【請求項１０】
楽器に取り付けられる楽器用部材であって、
外部に連通する開口部が形成された空洞部を少なくとも一つ有することを特徴とする楽器用部材。
【発明の詳細な説明】
【技術分野】
【０００１】
本発明は、楽器及び楽器用部材に関する。
【背景技術】
【０００２】
従来、鍵盤楽器であるグランドピアノ、アップライトピアノ、弦楽器であるアコースティックギターやバイオリン等のように、弦などの発音体においてアコースティックな楽音を発生し、筐体の外側に伝播させる楽器（アコースティック楽器）がある。
このような楽器の音響特性を改善する技術として、例えば特許文献１には、グランドピアノの筐体に備える大屋根を二枚の屋根部に分割し、二つの屋根部を個別に開閉する構成が開示されている。この構成では、二つの屋根部の一方のみを開くことで、高音域あるいは低音域の楽音のみを強調して発音できる。すなわち、同一のグランドピアノにおいて複数種類の音響特性を実現している。
【先行技術文献】
【特許文献】
【０００３】
【特許文献１】日本国特開２００１−０８３９６０号公報
【発明の概要】
【発明が解決しようとする課題】
【０００４】
ところで、上記楽器においては、発音体から音が発生した際、聴者に聴こえる楽器の音が、癖のある響き（不快な音色）となることがある。癖のある響き（不快な音色）は、特定の周波数が強調あるいは欠落するなどした響きである。特定の周波数が強調あるいは欠落する要因としては、例えば、発音体から発生する楽音や噪音等の音（直接音）と、筐体や部屋の壁面などにおいて反射する反射音とが干渉して音色が変化する現象（カラレーション）が挙げられる。
この場合、聴者に聴こえる楽器の音が心地よい響きの音色となるように、癖のある響きを癖のない響きに整えることが望まれる。
本発明の一態様は、発音体から音が発生した際に生じる癖のある響きを癖のない響きに整えることが可能な楽器、及び、楽器に取り付けられる楽器用部材を提供することを目的とする。
【課題を解決するための手段】
【０００５】
本発明の第一の態様によれば、楽器は、筐体と、前記筐体に設けられ、音を発生する発音体と、外部に連通する開口部が形成された空洞部を少なくとも一つ有し、前記筐体に設けられる音響構造部と、を具備する。【０００６】
前記音響構造部は、少なくとも一つのパイプによって構成され、前記筐体に、前記音響構造部を取り付ける取付構造が設けられていてもよい。【０００７】
前記音響構造部は、前記筐体に対して着脱自在であってもよい。【０００８】
前記音響構造部は、前記筐体内に収められてもよい。【０００９】
前記パイプは、前記筐体から取り外された状態で折り畳み自在であってもよい。【００１０】
前記音響構造部は、前記筐体の一部を構成していてもよい。【００１１】
本発明の第二の態様によれば、楽器は、鍵と、前記鍵の押鍵力により前記発音体である弦を打撃するハンマと、を具備していてもよい。【００１２】
本発明の第三の態様によれば、楽器は、操作子と、前記操作子の操作に応じて前記パイプによる吸音効果及び散乱効果の発生の態様を調整する駆動部と、を具備していてもよい。【００１３】
本発明の第四の態様によれば、楽器は、前記開口部を遮蔽する遮蔽部材を具備し、前記駆動部は、前記操作子の操作に応じて前記遮蔽部材による前記開口部の遮蔽量を調整してもよい。【００１４】
本発明の第五の態様によれば、楽器用部材は、楽器に取り付けられる部材であって、外部に連通する開口部が形成された空洞部を少なくとも一つ有する。
【発明の効果】
【００１５】
上記した本発明の態様によれば、音響構造部（楽器用部材）を具備した楽器において音が発生した際に、カラレーション等により癖のある響きが生じても、音響構造部（楽器用部材）が吸音効果及び散乱効果を発揮することで、特定の周波数を抑制あるいは強調することが可能となる。すなわち、癖のある響きを癖のない響きに整えることができる。
【図面の簡単な説明】
【００１６】
【図１】本発明の第１実施形態であるグランドピアノの正面図である。
【図２】図１のグランドピアノを上方から見た図である。
【図３】図１のグランドピアノを矢印Ａ方向から見た図である。
【図４】図１のグランドピアノにおける筐体内の弦、アクション機構、ダンパ機構を示す図である。
【図５】図１のグランドピアノの音響構造部による吸音効果及び散乱効果の原理を示す図である。
【図６】本発明の第２実施形態であるアップライピアノの正面図である。
【図７】図６のアップライトピアノのＢ−Ｂ´線断面図である。
【図８】本発明の第３実施形態であるカホンの斜視図である。
【図９】図８のカホンのＣ−Ｃ線断面図である。
【図１０】本発明の第４実施形態であるアップライピアノの断面図である。
【図１１】図１０のアップライピアノが具備するパイプの断面図である。
【図１２】第４実施形態のアップライトピアノの第１変形例を示す背面図である。
【図１３】第４実施形態のアップライトピアノの第２変形例を示す要部拡大断面図である。
【図１４】本発明の第５実施形態であるアップライピアノの断面図である。
【発明を実施するための形態】
【００１７】
以下、図面を参照し、この発明の実施形態について説明する。
＜第１実施形態＞
図１は、この発明の第１実施形態の楽器であるグランドピアノ１０の正面図である。図２は、グランドピアノ１０を上方から見た図である。図３は、図１における音響構造部（楽器用部材）１をＡ方向に見た図である。
グランドピアノ１０の筐体１１は、棚板１２と、曲練り側板１３と、前框１４と、大屋根１５と、突上棒１６と、大屋根１５の前端に揺動自在に連結された前屋根１７と、ペダル脚柱１８Ｌ，１８Ｒと、ペダルボックス１９と、脚２０Ｌ、２０Ｒ、２０Ｃとを有する。
【００１８】
曲練り側板１３は、棚板１２の縁に沿って固定されている。前框１４は、曲練り側板１３における平行対面する壁面４１Ｌ及び４１Ｒ間に架設されている。大屋根１５は、曲練り側板１３の壁面４１Ｌにおける前框１４の後方に連結されている。突上棒１６は、曲練り側板１３の壁面４１Ｒにおける前框１４の後方に連結されている。前屋根１７は、大屋根１５の前端に揺動自在に連結されている。ペダル脚柱１８Ｌ，１８Ｒは、棚板１２の裏面１２ａの前端部の真中から下方に向かって延在している。ペダルボックス１９は、ペダル脚柱１８Ｌ及び１８Ｒの先端に固定されている。脚２０Ｌ、２０Ｒ、２０Ｃは、棚板１２の裏面１２ａにおけるペダル脚柱１８Ｌ及び１８Ｒの左右両側とその奥の各箇所から下方に向かって延在している。
【００１９】
脚２０Ｌ、２０Ｒ、２０Ｃの各々の先端にはキャスタ２１Ｌ、２１Ｒ、２１Ｃが固定されている。ペダルボックス１９の前面からは、演奏者の足により操作される操作子であるソフトペダル２２、ソステヌートペダル２３及びダンパペダル２４が露出している。また、筐体１１における曲練り側板１３の壁面４１Ｌ及び４１Ｒ、棚板１２及び前框１４に囲まれた開口からは鍵２５−ｉ（ｉ＝１〜８８）が露出している。前框１４の下端には鍵盤蓋２６が設けられている。前框１４の上方は譜面板２７が設けられている。
【００２０】
図４に示すように、筐体１１の棚板１２上には鍵２５−ｉ（ｉ＝１〜８８）を揺動自在に支持する部材である筬中３０−ｉ（ｉ＝１〜８８）が固定されている。棚板１２上における筬中３０−ｉ（ｉ＝１〜８８）の各々の前方と後方には筬前３１−ｉ及び筬後３２−ｉが配置されている。筐体１１の曲練り側板１３及び前框１４に囲まれた空間内における各鍵２５−ｉの上方には発音体である弦３３−ｉが張設されている。この空間内における各鍵２５−ｉの後方には、アクション機構３５−ｉとダンパ機構３７−ｉとが設けられている。アクション機構３５−ｉは、演奏者の手指が鍵２５−ｉを押鍵する押鍵力をハンマ３４−ｉが弦３３−ｉを打撃する打弦力に変換する機構である。ダンパ機構３７−ｉは、奏者の手指が鍵６３−ｉを押鍵する押鍵力や、演奏者の足がソフトペダル２２を踏み込む踏込力を、弦３３−ｉ上のダンパ３６−ｉを弦３３−ｉから離す離弦力に変換する機構である。
【００２１】
図２及び図３において、グランドピアノ１０の大屋根１５における筐体１１内の空間を向いた面上には音響構造部１が設けられている。音響構造部１は、外部に連通する開口部３−ｍ（ｍ＝１〜１０）が形成された空洞部を複数有している。本実施形態では、音響構造部１が複数のパイプ２−ｍ（ｍ＝１〜１０）によって構成されている。前述した空洞部は、各パイプ２−ｍの内部空間である。前述の開口部３−ｍは、各パイプ２−ｍの側壁部に形成されている。
各パイプ２−ｍは、角柱形状の外観を有する。各パイプ２−ｍは、長さ方向に対向する側壁部ＦＷ及びＢＷ、厚さ方向に対向する側壁部ＵＷ及びＤＷ、幅方向に対向する側壁部ＬＷ及びＲＷを有する。なお、図１及び図３では、簡便のため、パイプ２−１を除くパイプ２−２〜２−１０の各々における側壁部ＦＷ、ＢＷ、ＵＷ、ＤＷ、ＬＷ、ＲＷの符号の図示を割愛する。複数のパイプ２−ｍ（ｍ＝１〜１０）は、その長さ方向が互いに平行するように配列されている。
【００２２】
パイプ２−１の長さＤ１、パイプ２−２の長さＤ２、パイプ２−３の長さＤ３、パイプ２−４の長さＤ４、パイプ２−５の長さＤ５、パイプ２−６の長さＤ６、パイプ２−７の長さＤ７、パイプ２−８の長さＤ８、パイプ２−９の長さＤ９、及びパイプ２−１０の長さＤ１０の大小関係は、Ｄ１＝Ｄ２＝Ｄ３＞Ｄ４＞Ｄ５＞Ｄ６＞Ｄ７＞Ｄ８＞Ｄ９＞Ｄ１０となっている。パイプ２−ｍ（ｍ＝１〜１０）は、前框１４側の側壁部ＦＷを揃えて幅方向に並べられている。
パイプ２−ｍの開口部３−ｍは、パイプ２−ｍの厚さ方向に対向する側壁部ＵＷ及びＤＷのうち一方の側壁部ＤＷに設けられている。パイプ２−ｍ（ｍ＝１〜１０）の側壁部ＤＷは均一なバッフル面を形成している。そして、パイプ２−ｍ（ｍ＝１〜１０）は、他方の側壁部ＵＷを大屋根１５側に向けて大屋根１５に固定されている。従って、グランドピアノ１０の大屋根１５を図１の矢印Ｂ方向に揺動させて大屋根１５により筐体１１内の空間の上方を塞ぐと、この空間内における弦３３−ｉ（ｉ＝１〜８８）とパイプ２−ｍ（ｍ＝１〜１０）の側壁部ＤＷとが対向する。
【００２３】
以上が、本実施形態の構成の詳細である。本実施形態では、鍵盤楽器であるグランドピアノ１０自体が音響構造部１を有している。そして、この音響構造部１のパイプ２−ｍ（ｍ＝１〜１０）の各々が吸音効果及び散乱効果を発生する。パイプ２−ｍによる吸音効果及び散乱効果の発生の原理は次の通りである。
図５に示すように、パイプ２−ｍの長さ方向の両端部は閉口端である。また、パイプ２−ｍの開口部３−ｍは、例えばパイプ２−ｍの長手方向の中途部に形成されている。すなわち、開口部３−ｍを有するパイプ２−ｍは、二つの閉管ＣＰＬ，ＣＰＲを組み合わせたものとみなすことができる。一方の閉管ＣＰＬは、パイプ２−ｍの開口部３−ｍを開口端とし空洞部の左側の端部９０Ｌ−ｍを閉口端としたものである。他方の閉管ＣＰＲは、パイプ２−ｍの開口部３−ｍを開口端とし空洞部の右側の端部９０Ｒ−ｍを閉口端としたものである。
音響空間から開口部３−ｍを介して空洞部に音波が入射すると、空洞部では、閉管ＣＰＬの開口端（開口部３−ｍ）から閉口端（端部９０Ｌ−ｍ）に向かう進行波と、閉管ＣＰＲの開口端（開口部３−ｍ）から閉口端（端部９０Ｒ−ｍ）に向かう進行波とが発生する。前者の進行波は、閉管ＣＰＬの閉口端において反射され、その反射波が開口部３−ｍへ戻る。また、後者の進行波は、閉管ＣＰＲの閉口端において反射され、その反射波が開口部３−ｍへ戻る。
【００２４】
閉管ＣＰＬでは、下記式（１）に示す共鳴周波数ｆＬ−ｋ（ｋ＝１，２…）において共鳴が発生する。閉管ＣＰＬ内において進行波と反射波とを合成した音波は、閉管ＣＰＬの閉口端に粒子速度の節を有し、開口端に粒子速度の腹を有する定在波となる。一方、閉管ＣＰＲでは、下記式（２）に示す共鳴周波数ｆＲ−ｋ（ｋ＝１，２…）において共鳴が発生する。閉管ＣＰＲ内において進行波と反射波とを合成した音波は、閉管ＣＰＲの閉口端に粒子速度の節を有し、開口端に粒子速度の腹を有する定在波となる。なお、下記式（１）および（２）において、ＬＬは閉管ＣＰＬの長さ（空洞部の左側の端部９０Ｌ−ｍから開口部３−ｍまでの長さ）である。また、ＬＲは閉管ＣＰＲの長さ（空洞部の右側の端部９０Ｒ−ｍから開口部３−ｍまでの長さ）である。また、ｃは音波の伝搬速度、ｋは１以上の整数である。
ｆＬ−ｋ＝（２ｋ−１）・（ｃ／（４・ＬＬ））…（１）
ｆＲ−ｋ＝（２ｋ−１）・（ｃ／（４・ＬＲ））…（２）
【００２５】
閉管ＣＰＬの閉口端において反射されて開口部３−ｍから音響空間へと放射される音波の共鳴周波数ｆＬ−ｋの成分は、音響空間から開口部３−ｍに入射する音波の共鳴周波数ｆＬ−ｋの成分に対して逆相の音波となる。一方、側壁部ＤＷの外面のうち開口部３−ｍの近傍では、音響空間からの入射波が位相回転を伴うことなく反射される。
【００２６】
例えば、共鳴周波数ｆＬ−ｋの成分を含む音波が開口部３−ｍを介して空洞部に入射した場合、側壁部ＤＷの外面における開口部３−ｍの正面（入射波の到来方向）では、閉管ＣＰＬから開口部３−ｍを介して放射される音波と、側壁部ＤＷの外面のうち開口部３−ｍの近傍の各点から反射される音波とが逆相となって互いの位相が干渉し合い、吸音効果が発生する。
また、側壁部ＤＷにおける開口部３−ｍの周囲では、開口部３−ｍからの音波と側壁部ＤＷの外面からの反射波の位相が不連続となり、位相の不連続を解消しようとする気体分子の流れが発生する。この結果、側壁部ＤＷの外面における開口部３−ｍの周囲では、入射波に対する鏡面反射方向以外の方向への音響エネルギーの流れが発生し、散乱効果が発生する。
【００２７】
同様に、共鳴周波数ｆＲ−ｋの成分を含む音波が開口部３−ｍを介して空洞部に入射した場合、側壁部ＤＷの外面における開口部３−ｍの正面（入射方向）では、吸音効果が発生する。また、側壁部ＤＷの外面における開口部３−ｍの周囲では、散乱効果が発生する。
【００２８】
また、共鳴周波数ｆＬ−ｋおよびｆＲ−ｋの各々の近傍の周波数帯域においては、共鳴周波数ｆＬ−ｋまたはｆＲ−ｋからずれていたとしても、周波数がある程度近ければ、開口部３−ｍから音響空間に放射される音波の位相と側壁部ＤＷの外面から音響空間に放射される反射波の位相とが逆相に近い関係になる。このため、共鳴周波数ｆＬ−ｋおよびｆＲ−ｋの各々の近傍の周波数帯域では、共鳴周波数ｆＬ−ｋおよびｆＲ−ｋに対する周波数の近さに応じた程度の吸音効果および散乱効果が発生する。以上が、パイプ２−ｍによる吸音効果および散乱効果の発生の原理である。
【００２９】
以上が、本実施形態の構成の詳細である。本実施形態のグランドピアノ１０によれば、ハンマ３４−ｉにより弦３３−ｉを打撃することでアコースティックな楽音が発生した際、カラレーション等により癖のある響き（不快な音色）が生じても、癖のある響きを癖のない響きに整えることができる。癖のある響きが、例えば特定の周波数を強調した響きである場合、特定の周波数及びその近傍の周波数帯域において吸音効果及び散乱効果を発生させることで、特定の周波数を抑制できる。すなわち、癖のある響きを癖のない響きに整えることができる。
また、癖のある響きが、例えば特定の周波数を欠落した響きである場合、特定の周波数及びその近傍の周波数帯域を除いた他の周波数帯域において吸音効果及び散乱効果を発生させることにより、特定の周波数を強調することができる。すなわち、癖のある響きを癖のない響きに整えることができる。
【００３０】
また、本実施形態では、図２および図３に示すように、音響構造部１における同じ長さの複数のパイプまたは近い長さを持った複数のパイプにおいて、各パイプの長さ方向における開口部の位置がパイプ毎に異なっている。このため、本実施形態によると、グランドピアノ１０において発生する全ての音の音域に亙る広い帯域において吸音効果および散乱効果を発生させることができる。従って、本実施形態によれば、グランドピアノ１０において発生するカラレーションを広帯域において制御することができる。
【００３１】
＜第２実施形態＞
図６は、本発明の第２実施形態の楽器であるアップライトピアノ５０の斜視図である。図７は、図６のＢ−Ｂ’線断面図である。アップライトピアノ５０の筐体５１は、上前板５２と、下前板５３と、後板５４と、一対の親板５５Ｌ，５５Ｒと、後屋根５６と、前屋根５７と、棚板５８と、前框５９と、一対の腕木６０Ｌ，６０Ｒと、一対の妻土台６１Ｌ，６１Ｒと、一対の脚柱６２Ｌ，６２Ｒとを有する。
上前板５２及び下前板５３は、互いに上下方向に間隔をあけて配されている。後板５４は、上前板５２及び下前板５３に対向して配されている。一対の親板５５Ｌ，５５Ｒは、上前板５２、下前板５３及び後板５４を左右方向から挟んでいる。後屋根５６及び前屋根５７は、上前板５２、下前板５３、後板５４及び親板５５Ｌ，５５Ｒの上端を覆っている。棚板５８、前框５９及び一対の腕木６０Ｌ，６０Ｒは、上前板５２の下端、下前板５３の上端、一対の親板５５Ｌ，５５Ｒの内壁面に囲まれた開口から前方に向かって突出している。一対の妻土台６１Ｌ，６１Ｒは、それぞれ下前板５３の下側の部分における左右の端部から前方に向かって突出している。一対の脚柱６２Ｌ，６２Ｒは、それぞれ棚板５８の裏面と各妻土台６１Ｌ，６１Ｒとの間に架設されている。
【００３２】
筐体５１における下前板５３の下方の中央からは、演奏者の足により操作される操作子であるソフトペダル６３、ソステヌートペダル６４、ダンパペダル６５、及び開口面積調整ペダル６６が露出している。開口面積調整ペダル６６の役割については、後に詳述する。前框５９の先端には鍵盤蓋７５が設けられている。筐体５１の棚板５８上における腕木６０Ｌと腕木６０Ｒの間には鍵６３−ｉ（ｉ＝１〜８８）が配列されている。鍵６３−ｉ（ｉ＝１〜８８）は、棚板５８上の筬中６４−ｉ（ｉ＝１〜８８）に支持されている。棚板５８上における筬中６４−ｉ（ｉ＝１〜８８）の各々の前方と後方には筬前６５−ｉと筬後６６−ｉが配置されている。筐体５１の上前板５２、下前板５３、後板５４、後屋根５６及び前屋根５７に囲まれた空間内における後板５４の前方には響板７２がある、この響板７２における鍵６３−ｉ（ｉ＝１〜８８）を向いた面上には発音体である弦６７−ｉ（ｉ＝１〜８８）が張設されている。また、鍵６３−ｉの後端部の上方にはアクション機構６９−ｉとダンパ機構７１−ｉが設けられている。アクション機構６９−ｉは、演奏者の手指が鍵６３−ｉを押鍵する押鍵力をハンマ６８−ｉが弦６７−ｉを打撃する打弦力に変換する機構である。ダンパ機構７１−ｉは、演奏者の手指が鍵６３−ｉを押鍵する押鍵力や、演奏者の足がダンパペダル６５を踏み込む踏込力を、弦６７−ｉ（ｉ＝１〜８８）上のダンパ７０−ｉ（ｉ＝１〜８８）を弦６７−ｉ（ｉ＝１〜８８）から離す離弦力に変換する機構である。
【００３３】
アップライトピアノ５０の上前板５２における響板７２を向いた面上には音響構造部（楽器用部材）５Ａが設けられている。アップライトピアノ５０の下前板５３における響板７２を向いた面上には音響構造部（楽器用部材）５Ｂが設けられている。各音響構造部５Ａ，５Ｂは、第１実施形態と同様に構成されている。音響構造部５Ａは、各々の内部の空洞部を囲む側壁部に開口部７Ａ−ｎ（ｎ＝１〜４）が形成された複数のパイプ６Ａ−ｎ（ｎ＝１〜４）を配列したものである。音響構造部５Ｂは、各々の空洞部を囲む側壁部に開口部７Ｂ−ｊ（ｊ＝１〜５）が形成された複数のパイプ６Ｂ−ｊ（ｊ＝１〜５）を配列したものである。
【００３４】
音響構造部５Ａの各パイプ６Ａ−ｎ及び音響構造部５Ｂの各パイプ６Ｂ−ｊは、角柱形状の外観を有する。各パイプ６Ａ−ｎ，６Ｂ−ｊは、長さ方向に対向する側壁部ＬＷ’及びＲＷ’、厚さ方向に対向する側壁部ＦＷ’及びＢＷ’、幅方向に対向する側壁部ＵＷ’及びＤＷ’を有する。なお、図６及び図７では、簡便のため、パイプ６Ｂ−１の側壁部ＬＷ’、ＲＷ’、ＦＷ’、ＢＷ’、ＵＷ’、ＤＷ’を除く各面の符号の図示を割愛する。全てのパイプ６Ａ−ｎ（ｎ＝１〜４）及び６Ｂ−ｊ（ｊ＝１〜５）の長さは同じである。音響構造部５Ａのパイプ６Ａ−ｎ（ｎ＝１〜４）は、その側壁部ＬＷ’及びＲＷ’を揃えて幅方向に並べられている。パイプ６Ａ−ｎ（ｎ＝１〜４）の側壁部ＦＷ’は、上前板５２における響板７２を向いた面上に固定されている。音響構造部５Ｂのパイプ６Ｂ−ｊ（ｊ＝１〜５）は、その側壁部ＬＷ’及びＲＷ’を揃えて幅方向に並べられている。パイプ６Ｂ−ｊ（ｊ＝１〜５）の側壁部ＦＷ’は、下前板５３における響板７２を向いた面上に固定されている。
【００３５】
音響構造部５Ａの各パイプ６Ａ−ｎの開口部７Ａ−ｎは、パイプ６Ａ−ｎの側壁部ＢＷ’に設けられている。音響構造部５Ｂの各パイプ６Ｂ−ｊの開口部７Ｂ−ｊは、パイプ６Ｂ−ｊの側壁部ＢＷ’に設けられている。パイプ６Ａ−ｎ（ｎ＝１〜４）の長さ方向における開口部７Ａ−ｎ（ｎ＝１〜４）の位置、及び、パイプ６Ｂ−ｊ（ｊ＝１〜５）の長さ方向における開口部７Ｂ−ｊ（ｊ＝１〜５）の位置はパイプ毎に異なっている。音響構造部５Ａの各パイプ６Ａ−ｎの側壁部ＢＷ’における開口部７Ａ−ｎの上下には、レール９ＡＵ−ｎ及び９ＡＤ−ｎ（図示略）が設けられている。レール９ＡＵ−ｎ及び９ＡＤ−ｎにはシート状の遮蔽部材８Ａ−ｎ（図示略）の上下の端部が嵌め込まれている。遮蔽部材８Ａ−ｎは、弾性体（不図示）によって親板５５Ｌの側（左方向）に付勢されている。音響構造部５Ｂの各パイプ６Ａ−ｊの側壁部ＢＷ’における開口部７Ｂ−ｊの上下には、レール９ＢＵ−ｊ及び９ＢＤ−ｊが設けられている。レール９ＢＵ−ｊ及び９ＢＤ−ｊにはシート状の遮蔽部材８Ｂ−ｊの上下の端部が嵌め込まれている。遮蔽部材８Ｂ−ｊは、弾性体（不図示）によって親板５５Ｌの側（図７の枠内における矢印Ｌ方向）に付勢されている。
【００３６】
また、筐体５１内には駆動部７３が収められている。駆動部７３は、開口面積調整ペダル６６の操作に応じてパイプ６Ａ−ｎ（ｎ＝１〜４）及び６Ｂ−ｊ（ｊ＝１〜５）による吸音効果及び散乱効果の発生の態様を調整する役割を果たす装置である。この駆動部７３は、開口面積調整ペダル６６の操作に応じて遮蔽部材８Ａ−ｎ（ｎ＝１〜４）及び８Ｂ−ｊ（ｊ＝１〜５）を移動させることにより、遮蔽部材８Ａ−ｎ（ｎ＝１〜４）及び８Ｂ−ｊ（ｊ＝１〜５）による開口部７Ａ−ｎ（ｎ＝１〜４）及び７Ｂ−ｊ（ｊ＝１〜５）の遮蔽量を調整する。ここで、遮蔽量とは、開口部７Ａ−ｎ（ｎ＝１〜４）及び７Ｂ−ｊ（ｊ＝１〜５）において遮蔽部材８Ａ−ｎ（ｎ＝１〜４）及び８Ｂ−ｊ（ｊ＝１〜５）により遮蔽されている領域の面積を意味する。
【００３７】
より詳細に説明すると、駆動部７３は、開口面積調整ペダル６６を踏み込む操作が行われた場合、遮蔽部材８Ａ−ｎ（ｎ＝１〜４）及び８Ｂ−ｊ（ｊ＝１〜５）を親板５５Ｒの側（図７の枠内における矢印Ｒ方向）に引っ張る。これにより、遮蔽部材８Ａ−ｎ（ｎ＝１〜４）及び８Ｂ−ｊ（ｊ＝１〜５）は、弾性体の付勢力に抗って開口部７Ａ−ｎ（ｎ＝１〜４）及び７Ｂ−ｊ（ｊ＝１〜５）の位置から親板５５Ｒの側（図７の枠内における矢印Ｒ方向）に移動し、開口部７Ａ−ｎ（ｎ＝１〜４）及び７Ｂ−ｊ（ｊ＝１〜５）における遮蔽部材８Ａ−ｎ（ｎ＝１〜４）及び８Ｂ−ｊ（ｊ＝１〜５）に覆われていない部分の面積である開口面積が大きくなる。
【００３８】
また、駆動部７３は、開口面積調整ペダル６６の踏み込みを解除する操作が行われた場合、遮蔽部材８Ａ−ｎ（ｎ＝１〜４）及び８Ｂ−ｊ（ｊ＝１〜５）を引っ張る力を弱める。これにより、遮蔽部材８Ａ−ｎ（ｎ＝１〜４）及び８Ｂ−ｊ（ｊ＝１〜５）は親板５５Ｌの側（図７の枠内における矢印Ｌ方向）に移動し（すなわち、開口部７Ａ−ｎ（ｎ＝１〜４）及び７Ｂ−ｊ（ｊ＝１〜５）の位置に戻り）、開口部７Ａ−ｎ（ｎ＝１〜４）及び７Ｂ−ｊ（ｊ＝１〜５）における開口面積が小さくなる。
【００３９】
以上が、本実施形態の構成の詳細である。本実施形態のアップライトピアノ５０によれば、第１実施形態と同様の効果を奏する。
すなわち、本実施形態では、鍵盤楽器であるアップライトピアノ５０自体が音響構造部５Ａ，５Ｂを有している。そして、音響構造部５Ａのパイプ６Ａ−ｎ（ｎ＝１〜４）及び音響構造部５Ｂのパイプ６Ｂ−ｊ（ｊ＝１〜５）の各々が吸音効果及び散乱効果を発生する。このため、ハンマ６８−ｉにより弦６７−ｉを打撃することでアコースティックな楽音が発生した際に、カラレーション等により癖のある響き（不快な音色）が生じても、癖のある響きを癖のない響きに整えることができる。
また、本実施形態では、パイプ６Ａ−ｎ（ｎ＝１〜４）及びパイプ６Ｂ−ｊ（ｊ＝１〜５）が同じ長さを有しており、パイプ６Ａ−ｎ（ｎ＝１〜４）及びパイプ６Ｂ−ｊ（ｊ＝１〜５）の側壁部ＢＷ’における開口部７Ａ−ｎ（ｎ＝１〜４）及び７Ｂ−ｊ（ｊ＝１〜５）の位置がパイプ毎に異なっている。本実施形態によると、アップライトピアノ５０において発生する全ての音の音域に亙る広い帯域において吸音効果および散乱効果を発生させることができる。従って、本実施形態によれば、アップライトピアノ５０において発生するカラレーションを広帯域において抑制することができる。
また、本実施形態であるアップライトピアノ５０は、開口面積調整ペダル６６と、開口部７Ａｎ（ｎ＝１〜４）及び７Ｂ−ｊ（ｊ＝１〜５）を遮蔽する遮蔽部材８Ａ−ｎ（ｎ＝１〜４）及び８Ｂ−ｊ（ｊ＝１〜５）と、開口面積調整ペダル６６の操作に応じて遮蔽部材８Ａ−ｎ（ｎ＝１〜４）及び８Ｂ−ｊ（ｊ＝１〜５）による開口部７Ａ−ｎ（ｎ＝１〜４）及び７Ｂ−ｊ（ｊ＝１〜５）の遮蔽量を調整する駆動部７３とを有している。よって、本実施形態によると、開口面積調整ペダル６６の操作を通じて吸音効果及び散乱効果の大きさを調整することができる。
【００４０】
なお、上記第２実施形態では、音響構造部５Ａのパイプ６Ａ−ｎ（ｎ＝１〜４）及び音響構造部５Ｂのパイプ６Ｂ−ｊ（ｊ＝１〜６）は左右方向に延在している。しかし、パイプ６Ａ−ｎ（ｎ＝１〜４）及びパイプ６Ｂ−ｊ（ｊ＝１〜６）が上下方向に延在していてもよい。
【００４１】
また、上記第２実施形態では、駆動部７３は、開口面積調整ペダル６６の踏み込む操作が行われた場合に開口部７Ａ−ｎ（ｎ＝１〜４）及び７Ｂ−ｊ（ｊ＝１〜５）の開口面積を拡げるような動作を行った。しかし、駆動部７３は、開口面積調整ペダル６６を踏み込んだ場合に遮蔽部材８Ａ−ｎ（ｎ＝１〜４）及び８Ｂ−ｊ（ｊ＝１〜５）を開口部７Ａ−ｎ（ｎ＝１〜４）及び７Ｂｊ（ｊ＝１〜５）上に移動させ、開口面積調整ペダル６６を完全に踏み込んだ時に開口部７Ａ−ｎ（ｎ＝１〜４）及び７Ｂ−ｊ（ｊ＝１〜５）が全て塞がれるようにしてもよい。
【００４２】
上記第２実施形態では、駆動部７３は、開口部７Ａ−ｎ（ｎ＝１〜４）及び７Ｂ−ｊ（ｊ＝１〜５）の開口面積を拡げたり縮めたりすることによりパイプ６Ａ−ｎ（ｎ＝１〜４）及び６Ｂ−ｊ（ｊ＝１〜５）による吸音効果及び散乱効果の発生の態様を調整した。しかし、駆動部７３は、パイプ６Ａ−ｎ（ｎ＝１〜４）及び６Ｂ−ｊ（ｊ＝１〜５）の管長、太さ、または筐体５１内におけるパイプの位置を変えることによりパイプ６Ａ−ｎ（ｎ＝１〜４）及び６Ｂ−ｊ（ｊ＝１〜５）による吸音効果及び散乱効果の発生の態様を調整してもよい。
【００４３】
例えば、駆動部７３は、操作子たる開口面積調整ペダル６６が踏まれた場合に筐体５１内におけるパイプ６Ａ−ｎ（ｎ＝１〜４）及び６Ｂ−ｊ（ｊ＝１〜５）の位置を右側に僅かな距離だけ移動させ、開口面積調整ペダル６６の踏み込みが解除された場合にパイプ６Ａ−ｎ（ｎ＝１〜４）及び６Ｂ−ｊ（ｊ＝１〜５）の位置を元に戻す、といった動作により音源位置と開口部７Ａｎ（ｎ＝１〜４）及び７Ｂ−ｊ（ｊ＝１〜５）との位置関係を変化させ、吸音効果及び散乱効果の発生の態様を調整してもよい。
【００４４】
あるいは次のような態様も考えられる。まず、図６において、各パイプ６Ａ−ｎ（ｎ＝１〜４）及び６Ｂ−ｊ（ｊ＝１〜５）を長さの調節が可能な構成にする。具体的には、パイプ６Ａ−ｎ（ｎ＝１〜４）及び６Ｂ−ｊ（ｊ＝１〜５）として、開口端と閉塞端を有する太いパイプの開口端側から、開口端と閉塞端を有する細いパイプの開口端を挿入した構成のパイプ対を用いる。また、各パイプ対の太いパイプの中に細いパイプの閉塞端の位置を移動させるアクチュエータを設ける。また、この態様において、駆動部７３は、操作子たる開口面積調整ペダル６６が踏まれた場合に筐体内におけるパイプ６Ａ−ｎ（ｎ＝１〜４）及び６Ｂ−ｊ（ｊ＝１〜５）の中の細いパイプを太いパイプ内に収容させ（すなわち、パイプ対全体としての管長を短くし）、開口面積調整ペダル６６の踏み込みが解除された場合に細いパイプを太いパイプから突き出す（すなわち、パイプ対全体としての管長を長くする）。この態様によれば、開口面積調整ペダル６６の操作に応じて、パイプ６Ａ−ｎ（ｎ＝１〜４）及び６Ｂ−ｊ（ｊ＝１〜５）を長さを変化させ、吸音効果及び散乱効果の発生する周波数を変化させることができる。
【００４５】
あるいは次のような態様も考えられる。例えば、各パイプ６Ａ−ｎ（ｎ＝１〜４）及び６Ｂ−ｊ（ｊ＝１〜５）として、直方体形状の断面形状を平行四辺形状に変形させることが可能なものを使用する。また、この態様において駆動部７３は、操作子たる開口面積調整ペダル６６が踏まれた場合に筐体内におけるパイプの断面積が小さくなるように、直方体形状の断面から平行四辺形状の断面に変化させ、開口面積調整ペダル６６の踏み込みが解除された場合に元に戻す。ここで、パイプ６Ａ−ｎ（ｎ＝１〜４）及び６Ｂ−ｊ（ｊ＝１〜５）の断面積が小さくなると、各パイプの吸音性能が小さくなる傾向がある。従って、この態様によれば、開口部７Ａ−ｎ（ｎ＝１〜４）及び７Ｂ−ｊ（ｊ＝１〜５）の開口面積を拡げたり縮めたりするのと同様の効果を簡便に得ることができる。
【００４６】
また、上記第２実施形態において、開口面積調整ペダル６６をつまみやスイッチ等の別の種類の操作子に置き換え、駆動部７３がこの操作子の操作に応じてパイプ６Ａ−ｎ（ｎ＝１〜４）及び６Ｂ−ｊ（ｊ＝１〜５）による吸音効果及び散乱効果の発生の態様を調整するようにしてもよい。
【００４７】
上記第２実施形態の構成は、第１実施形態のグランドピアノに適用されてもよい。すなわち、上記第１実施形態のグランドピアノ１０は、パイプ２−ｍ（ｍ＝１〜１０）の開口部３−ｍ（ｍ＝１〜１０）を遮蔽する遮蔽部材と、この遮蔽部材による開口部３−ｍ（ｍ＝１〜１０）の遮蔽量を調整する駆動部と、を具備してもよい。
【００４８】
＜第３実施形態＞
図８は、本発明の第３実施形態の楽器であるカホン９の斜視図である。図９は、図８のＣ−Ｃ線断面図である。このカホン９の筐体９０は、中空な立方体状をなしている。筐体９０は、同じ寸法を持った６枚の板９１，９２，９３，９４，９５，９６を有する。板９１及び９２は上下方向に対向している。板９３及び９４は前後方向に対向している。板９５及び９６は左右方向に対向している。この筐体９０における板９４の中央には開放音口９７が設けられている。また、筐体９０における板９３は演奏者の掌により打撃する打撃面を構成している。板９３は、打撃によって音を発生する発音体として機能する。さらに、本実施形態では、筐体９０内における板９１と板９２の間に音を発生する発音体としての弦９８、９９、１００が張設されている。
また、板９６における弦９８、９９、１００を向いた面上には、板９６と一体化された音響構造部（楽器用部材）１２０がある。音響構造部１２０は、各々の内部の空洞部を囲む側壁部に開口部１０２−ｕ（ｕ＝１〜６）が形成された複数のパイプ１０１−ｕ（ｕ＝１〜６）を配列したものである。
【００４９】
音響構造部１２０の各パイプ１０１−ｕ（ｕ＝１〜６）は、左右方向に対向する側壁部ＬＷ”及びＲＷ”、前後方向に対向する側壁部ＦＷ”及びＢＷ”、上下方向（長さ方向）に対向する側壁部ＵＷ”及びＤＷ”を有する。ここで、図８及び図９では、簡便のため、パイプ１０１−１を除く各パイプ１０１−２〜１０２−６の各々における側壁部ＦＷ”、ＢＷ”、ＵＷ”、ＤＷ”、ＬＷ”、ＲＷ”の符号の図示を割愛する。パイプ１０１−ｕ（ｕ＝１〜６）の長さは同じである。パイプ１０１−ｕ（ｕ＝１〜６）は、側壁部ＵＷ”及びＤＷ”を揃えて前後方向に並べられている。パイプ１０１−ｕ（ｕ＝１〜６）の側壁部ＲＷ”は、板９６における弦９８、９９、１００を向いた面上に接合されている。音響構造部１２０の各パイプ１０１−ｕの開口部１０２−ｕは、パイプ１０１−ｕの側壁部ＬＷ”に形成されている。パイプ１０１−ｕ（ｕ＝１〜６）の長さ方向における開口部１０２−ｕ（ｕ＝１〜６）の位置はパイプ毎に異なっている。
【００５０】
以上が、本実施形態の構成の詳細である。本実施形態のカホン９によれば、第１，第２実施形態と同様の効果を奏する。
すなわち、本実施形態では、楽器であるカホン９自体が音響構造部１２０を有している。そして、音響構造部１２０のパイプ１０１−ｕ（ｕ＝１〜６）の各々が吸音効果及び散乱効果を発生する。このため、板９３に対する打撃により音が発生した際に、カラレーション等により癖のある響き（不快な音色）が生じても、癖のある響きを癖のない響きに整えることができる。
【００５１】
なお、上記第３実施形態において、筐体９０内には、弦９８、９９、１００と異なる種類の発音体である鈴を設けてもよい。さらに、筐体９０内には、例えば弦９８、９９、１００や鈴が設けられていなくてもよい。
【００５２】
また、上記第３実施形態のカホン９は、例えば第２実施形態のアップライトピアノ５０のように、ペダル、つまみ、スイッチ等の操作子と、音響構造部１２０のパイプ１０１−ｕ（ｕ＝１〜６）の開口部１０２−ｕ（ｕ＝１〜６）を遮蔽する遮蔽部材と、操作子の操作に応じて遮蔽部材による開口部１０２−ｕ（ｕ＝１〜６）の遮蔽量を調整する駆動部とを備えた構成にしてもよい。
【００５３】
＜第４実施形態＞
図１０は、この発明の第４実施形態の楽器であるアップライトピアノ１５０の断面図である。アップライトピアノ１５０の主な構成は、第２実施形態のアップライトピアノ５０と同様である。アップライトピアノ１５０の筐体１５１は、上前板５２と、下前板５３と、一対の親板５５Ｌ，５５Ｒと、後屋根５６と、前屋根５７と、棚板５８と、前框５９と、一対の腕木６０Ｌ，６０Ｒと、一対の妻土台６１Ｌ，６１Ｒと、一対の脚柱６２Ｌ，６２Ｒとを有する（一部符号は図６，７参照）。また、アップライトピアノ１５０は、第２実施形態と同様のソフトペダル６３、ソステヌートペダル６４、ダンパペダル６５、鍵盤蓋７５、鍵６３−ｉ（ｉ＝１〜８８）、筬中６４−ｉ（ｉ＝１〜８８）、筬前６５−ｉ、筬後６６−ｉ、響板７２、弦６７−ｉ（ｉ＝１〜８８）、アクション機構６９−ｉ、ダンパ機構７１−ｉを有する。
【００５４】
本実施形態の筐体１５１は、第２実施形態のアップライトピアノ５０の後板５４（図７参照）の代わりに、枠体部１５２を有している。枠体部１５２は、筐体１５１の剛性が向上するように、複数の支柱１５３を組み合わせて構成されている。これにより、筐体１５１の空間内に配された響板７２は、複数の支柱１５３の隙間から外部に露出する。
【００５５】
また、筐体１５１は、ピン板１５４及びフレーム１５５を有している。ピン板は、筐体の空間内のうち響板７２の上方に配されている。ピン板１５４には、弦６７−ｉの張り具合を調整するチューニングピン１５６が取り付けられている。フレーム１５５は、筐体１５１の空間内のうち響板７２及びピン板１５４の前方側に配されている。フレーム１５５は、張設された弦６７−ｉの両端を支持するものである。
【００５６】
筐体１５１には、後述する音響構造部１６０Ａを筐体１５１に取り付ける取付構造として、音響構造部１６０Ａを支持する支持部１５７が設けられている。支持部１５７は、上前板５２に一体に形成されている。支持部１５７は、上前板５２から筐体１５１の空間内に突出している。
【００５７】
本実施形態のアップライトピアノ１５０は、第２実施形態と同様に、二つの音響構造部（楽器用部材）１６０Ａ，１６０Ｂを有する。二つの音響構造部１６０Ａ，１６０Ｂは、第１、第２実施形態と同様に、筐体１５１内に収められている。各音響構造部１６０Ａ，１６０Ｂは、内部の空洞部を囲む側壁部に開口部１６２Ａ，１６２Ｂが形成されたパイプ１６１Ａ，１６１Ｂによって構成されている。図１０においては、各音響構造部１６０Ａ，１６０Ｂが一つのパイプ１６１Ａ，１６１Ｂによって構成されている。しかし、各音響構造部１６０Ａ，１６０Ｂは、例えば第２実施形態と同様に、複数のパイプ１６１Ａ，１６１Ｂによって構成されてもよい。
【００５８】
各パイプ１６１Ａ，１６１Ｂは、第２実施形態と同様に角柱形状の外観を有する。パイプ１６１Ａ，１６１Ｂは、長さ方向に対向する側壁部ＬＷ’及びＲＷ’（図６参照）、厚さ方向に対向する側壁部ＦＷ’及びＢＷ’、幅方向に対向する側壁部ＵＷ’及びＤＷ’を有する。図１０においては、開口部１６２Ａ，１６２Ｂが側壁部ＢＷ’に形成されている。しかし、開口部１６２Ａ，１６２Ｂは、例えば他の側壁部ＬＷ’、ＲＷ’、ＦＷ’、ＵＷ’、ＤＷ’に形成されてもよい。
【００５９】
パイプ１６１Ａ，１６１Ｂは、例えば厚紙のように可撓性を有するシートによって構成されている。この場合、パイプ１６１Ａ，１６１Ｂは、図１１に示すように、折り畳み自在である。パイプ１６１Ａ，１６１Ｂを折り畳む際には、例えば、側壁部ＦＷ’及びＤＷ’が重なり合うように、また、側壁部ＢＷ’及びＵＷ’が重なり合うように、側壁部ＦＷ’とＤＷ’との角部、及び、側壁部ＢＷ’とＵＷ’との角部においてパイプ１６１Ａ，１６１Ｂを折り曲げればよい。また、パイプ１６１Ａ，１６１Ｂを折り畳む際には、長さ方向に対向する側壁部ＬＷ’及びＲＷ’をパイプ１６１Ａ，１６１Ｂの他の部分から取り外す等すればよい。
【００６０】
図１０に示すように、第一の音響構造部１６０Ａは、筐体１５１の空間内のうち、上前板５２、棚板５８、後屋根５６、前屋根５７、フレーム１５５によって囲まれた領域に配されている。第一の音響構造部１６０Ａは、アクション機構６９−ｉ、ダンパ機構７１−ｉの上方に配されている。第一の音響構造部１６０Ａは、パイプ１６１Ａの開口部１６２Ａが上前板５２、支持部１５７等によって塞がれないように、上前板５２に形成された支持部１５７上に載置されている。従って、第一の音響構造部１６０Ａは、筐体１５１に対して着脱自在に取り付けられる。なお、図１０においては、支持部１５７上に載置された第一の音響構造部１６０Ａが、上前板５２における響板７２を向いた面上に接触している。しかし、第一の音響構造部１６０Ａは、例えば、上前板５２における響板７２を向いた面上に対して間隔をあけて配されてもよい。
第二の音響構造部１６０Ｂは、筐体１５１の空間内のうち下前板５３とフレーム１５５との間の領域に配されている。第二の音響構造部１６０Ｂは、パイプ１６１Ｂの開口部１６２Ｂが筐体１５１の下前板５３、底板１５８等によって塞がれないように、底板１５８上に載置されている。従って、第二の音響構造部１６０Ｂは、筐体１５１に対して着脱自在に取り付けられる。
【００６１】
以上が、本実施形態の構成の詳細である。本実施形態のアップライトピアノ１５０によれば、第２実施形態と同様の効果を奏する。
すなわち、図１０に示すように、パイプ１６１Ａ，１６１Ｂ（あるいは音響構造部１６０Ａ，１６０Ｂ）が一つ以上設けられていれば、ハンマ６８−ｉにより弦６７−ｉを打撃することでアコースティックな楽音が発生した際、カラレーション等により癖のある響き（不快な音色）が生じても、癖のある響きを癖のない響きに整えることが可能となる。また、パイプ１６１Ａ，１６１Ｂ（あるいは音響構造部１６０Ａ，１６０Ｂ）が複数設けられていれば、アップライトピアノにおいて発生する全ての音の音域に亙る広い帯域において吸音効果および散乱効果を発生させることができるため、アップライトピアノにおいて発生するカラレーションを広帯域において抑制することができる。
【００６２】
さらに、本実施形態では、筐体１５１に音響構造部１６０Ａ，１６０Ｂの取付構造（例えば支持部１５７）が設けられているため、音響構造部１６０Ａ，１６０Ｂを除くアップライトピアノを製造した後であっても、音響構造部１６０Ａ，１６０Ｂを筐体１５１に取り付けることができる。また、音響構造部１６０Ａ，１６０Ｂが筐体１５１に対して着脱自在であるため、吸音効果及び散乱効果の特性が互いに異なる複数種類の音響構造部１６０Ａ，１６０Ｂを容易に交換することができる。これにより、音の響き（音色）の調整に最適な音響構造部１６０Ａ，１６０Ｂの選択を容易に行うことができる。また、音響構造部１６０Ａ，１６０Ｂが筐体１５１内に収められることで、音響構造部１６０Ａ，１６０Ｂをアップライトピアノに取り付けてもアップライトピアノの良好な外観を保つことが可能である。
【００６３】
なお、本実施形態のアップライトピアノ１５０において、音響構造部１６０Ａ，１６０Ｂを支持する支持部１５７は、上前板５２に形成されることに限らない。支持部１５７は、例えば下前板５３やフレーム１５５等、筐体１５１の他の構成部材に形成されてもよい。また、支持部１５７は、例えば、ハンマーレールの位置を調整する調整ねじなど、アップライトピアノの従来構成を利用したものであってもよい。
【００６４】
また、音響構造部１６０Ａ，１６０Ｂを筐体１５１に取り付ける取付構造は、支持部１５７に限らず、接着剤、面ファスナー、フック、レール等の任意の構造であってよい。ただし、音響構造部１６０Ａ，１６０Ｂは筐体１５１に対して着脱自在であることが好ましい。従って、取付構造は、筐体１５１に設けられる面ファスナーやフック、レール等の構造であることが好ましい。また、取付構造は、アップライトピアノの従来構成を利用したものであってもよい。取付構造は、例えば図１２に示すように、筐体１５１の枠体部１５２であってもよい。音響構造部（楽器用部材）１６０Ｃが枠体部１５２の支柱１５３の間に嵌め込まれることで、音響構造部１６０Ｃを筐体に取り付けることができる。図１２において音響構造部１６０Ｃは、開口部１６２Ｃが形成されたパイプ１６１Ｃを複数配列して構成されているが、これに限ることはない。
【００６５】
また、音響構造部を筐体１５１に取り付ける取付構造は、筐体１５１に設けられることに限らない。取付構造は、例えば図１３に示すように、音響構造部１６０Ａに設けられてもよい。図１３においては、取付構造としてのフック１６３が音響構造部１６０Ａに一体に固定されている。フック１６３が、例えば上前板５２の上端に引っ掛けられることで、音響構造部１６０Ａを筐体１５１に取り付けることができる。
【００６６】
音響構造部を筐体に取り付ける取付構造は、第１実施形態のグランドピアノや第３実施形態のカホンにも適用することが可能である。
第１実施形態のグランドピアノ１０において、音響構造部を筐体１１に取り付ける取付構造は、例えば、大屋根１５における筐体１１内の空間を向いた面上や、筐体１１内の空間に配されたフレームに設けることが可能である。また、取付構造は、例えば、グランドピアノ１０の従来構成であるフレームや枠体部を利用したものであってもよい。枠体部は、第４実施形態の枠体部１５２と同様であり、グランドピアノ１０の下部に設けられるものである。取付構造にフレームを用いた場合、音響構造部をフレーム上に載置することができる。取付構造に枠体部を用いた場合、音響構造部を枠体部の複数の支柱の間に嵌め込むことができる。
【００６７】
＜第５実施形態＞
図１４は、この発明の第５実施形態であるアップライトピアノ１８０の断面図である。アップライトピアノ１８０の主な構成は、第４実施形態のアップライトピアノ１５０と同様である。このため、本実施形態のアップライトピアノ１８０において、第４実施形態のアップライトピアノ１５０と同様の構成については、同一符号を付して、その説明を省略する。
アップライトピアノ１８０は、外部に連通する開口部１９２が形成された空洞部１９１を有する音響構造部（楽器用部材）１９０を具備している。本実施形態の音響構造部１９０は、筐体１５１の一部を構成している。本実施形態では、音響構造部１９０が筐体１５１の上前板１５９を構成している。上前板１５９は、アコースティックな楽音を発生するアップライトピアノ１８０の筐体１５１の一部を構成すると共に、外部に連通する開口部１９２が形成された空洞部１９１を有する楽器構成部材である。空洞部１９１は、上前板１５９の内部に形成されている。図１４において、空洞部１９１は、上前板１５９の左右方向に延在している。しかし、空洞部１９１は、例えば上前板１５９の上下方向に延在してもよい。空洞部１９１の開口部１９２は、筐体１５１内に向いている。図１４において、空洞部１９１は複数あるが、例えば一つだけでもよい。図１４において、複数の空洞部１９１は、上前板１５９の上下方向に間隔をあけて配列されている。
【００６８】
以上が、本実施形態の構成の詳細である。本実施形態のアップライトピアノ１８０によれば、第４実施形態と同様の効果を奏する。
また、本実施形態では、音響構造部１９０が筐体１５１の上前板１５９を構成していることで、上前板１５９が吸音効果及び散乱効果を発揮する。したがって、アップライトピアノ１８０の構成部品点数を増やすことなく、音の響き（音色）の調整や、カラレーションの好適な制御を行うことができる。
【００６９】
なお、第５実施形態では、音響構造部が、例えば筐体１５１の他の部材を構成してもよい。吸音効果及び散乱効果を発揮する筐体１５１の他の部材としては、例えば、下前板５３、後板５４、親板５５Ｌ，５５Ｒ、後屋根５６、前屋根５７、棚板５８、前框５９、腕木６０Ｌ，６０Ｒ、妻土台６１Ｌ，６１Ｒ、脚柱６２Ｌ，６２Ｒ、鍵盤蓋７５、支柱１５３、ピン板１５４が挙げられる。また、アップライトピアノにおいて吸音効果及び散乱効果を発揮する筐体１５１の他の部材としては、例えば、拍子木、口棒、前土台なども挙げられる。
【００７０】
また、第５実施形態では、吸音効果及び散乱効果を発揮する筐体１５１の部材（楽器構成部材）が、例えば、中空な部材の内部に、外部に連通する開口部が形成された空洞部を有するパイプを埋め込んで構成されてもよい。
【００７１】
さらに、第５実施形態では、音響構造部を筐体１５１の一部とする構成をアップライトピアノ１８０に適用したが、例えば第１実施形態のグランドピアノ１０にも適用可能である。グランドピアノ１０において、吸音効果及び散乱効果を発揮する筐体１１の部材としては、例えば、棚板１２、曲練り側板１３、前框１４、大屋根１５、前屋根１７、鍵盤蓋２６、譜面板２７が挙げられる。また、グランドピアノにおいて吸音効果及び散乱効果を発揮する筐体１１の他の部材としては、例えば、ピン板、枠体部の支柱、拍子木、譜面台、譜面台竿、ペダル持竿なども挙げられる。
【００７２】
以上、この発明の第１〜第５実施形態について説明したが、この発明には他にも実施形態があり得る。例えば、以下の通りである。
【００７３】
（１）第１〜第４実施形態のグランドピアノ、アップライトピアノ、カホンでは、音響構造部が筐体内に収められている。しかし、音響構造部は例えば筐体の外面に設けられてもよい。この場合、音響構造部は、目立たない位置に設けられることが好ましい。例えば第４実施形態のアップライトピアノ１５０においては、音響構造部１６０Ａ，１６０Ｂが筐体１５１のうち後方側に向く枠体部１５２（支柱１５３）の外面に設けられることが好ましい。例えば第１実施形態のグランドピアノ１０においては、音響構造部１が筐体１１のうち下方側に向く棚板１２や枠体部の外面に設けられることが好ましい。
【００７４】
（２）第１〜第４実施形態において音響構造部を構成するパイプは、角柱形状の外観に限らず、例えば円柱形状など任意の外観を有していてよい。また、音響構造部の空洞部の断面形状は、上記各実施形態のような矩形状に限らず、例えば円形状、星形状などの任意の形状であってよい。さらに、空洞部を囲む面は、上記各実施形態のように凹凸の無い面に形成されてもよいが、例えば、直線状の溝や螺旋状の溝などが形成された凹凸の有る面に形成されてもよい。
【００７５】
（３）上記各実施形態では、開口部が同一の空洞部（パイプ）に一つだけ形成されているが、例えば、複数形成されてもよい。同一の空洞部に形成される複数の開口部は、例えば、空洞部（パイプ）の長さ方向に間隔をあけて配されてもよい。また、例えば、一対の開口部が互いに対向するように配されてもよい。また、開口部は、例えば空洞部（パイプ）の長さ方向の一方又は両方の端部に形成されてもよい。
【００７６】
（４）上記各実施形態では、空洞部に形成される全ての開口部が筐体内に向いているが、一部あるいは全ての開口部が筐体の外側に向いてもよい。例えば図１２に示すように、枠体部１５２に嵌め込まれた一部の音響構造部１６０Ｃの開口部１６２Ｃが、筐体１５１の外側に向いていてもよい。音響構造部が筐体内に配されたパイプにより構成される場合には、筐体の内外を連通させる連通孔を筐体に形成し、この連通孔を介してパイプの開口部を外部に露出させてもよい。空洞部に形成される開口部が筐体の外側に向く構成のピアノやカホンでは、上記各実施形態と同様に、音の響き（音色）の調整、カラレーションの好適な制御が可能である。また、このような構成のピアノやカホンでは、これを部屋に置くことにより、部屋の音響特性を整えることができる。
【００７７】
（５）上記第１実施形態は、本願発明をグランドピアノに適用したものであり、上記第２，４，５実施形態は、本願発明をアップライトピアノに適用したものであり、上記第３実施形態は、本願発明をカホンに適用したものである。しかし、本願発明は、アコースティックギターやバイオリンなどのように、筐体（ボディ）を有する弦楽器にも適用できる。
（６）上述した実施形態は、本願発明をアコースティックな音を発生する楽器に適用しているが、本願発明は、例えば筐体内部に音を発生するスピーカ（発音体）を備える電子楽器にも適用可能である。
【産業上の利用可能性】
【００７８】
上記した楽器及び楽器構成部材によれば、音響構造部（楽器用部材）を具備した楽器において音が発生した際に、カラレーション等により癖のある響きが生じても、音響構造部（楽器用部材）が吸音効果及び散乱効果を発揮することで、特定の周波数を抑制あるいは強調することが可能となる。すなわち、癖のある響きを癖のない響きに整えることができる。
【符号の説明】
【００７９】
１，５，１２０，１６０，１９０…音響構造部（楽器用部材）、２，６，１０１，１６１…パイプ、３，７，１０２，１６２，１９２…開口部、１９２…空洞部、１１，５１，９０，１５１…筐体、１２，５８…棚板、１３…側板、１４，５９…前框、１５…大屋根、１７…前屋根、２５、６３…鍵、２６、７５…鍵盤蓋、２７…譜面板、３３、６７、９８、９９、１００…弦（発音体）、３４、６８…ハンマ、５２…上前板、５３…下前板、５４…後板、５５Ｌ，５５Ｒ…親板、５６…後屋根、５７…前屋根、６０Ｌ，６０Ｒ…腕木、６１Ｌ，６１Ｒ…妻土台、６２Ｌ，６２Ｒ…脚柱、１５４…ピン板、１５５…フレーム、１５２…枠体部、１５３…支柱、１５７…支持部（取付構造）、１５９…上前板（楽器用部材）、１６３…フック（取付構造）
【図１】
2014207838.tif 000003
【図２】
2014207838.tif 000004
【図３】
2014207838.tif 000005
【図４】
2014207838.tif 000006
【図５】
2014207838.tif 000007
【図６】
2014207838.tif 000008
【図７】
2014207838.tif 000009
【図８】
2014207838.tif 000010
【図９】
2014207838.tif 000011
【図１０】
2014207838.tif 000012
【図１１】
2014207838.tif 000013
【図１２】
2014207838.tif 000014
【図１３】
2014207838.tif 000015
【図１４】
2014207838.tif 000016
【国際調査報告】
2014207838.tif 000017
2014207838.tif 000018
2014207838.tif 000019
2014207838.tif 000020